(57)【要約】【課題】  記録材の有無等で特定の色の出力が不可能な状態の画像形成装置であって、ジョブの実行の可、不可や代替色での印刷実行を決定するタイミングをジョブの投入時の画像形成装置の状態で判断することは、複数のジョブが受付、実行可能な画像形成装置に置いては作業効率の低下を引き起こす。【解決手段】  装置によって読取られた画像データ若しくは、コンピュータから送られた出力データによりデータを出力し、且つ、カラーデータの有無を検出する手段を有する画像形成装置において、画像形成装置がカラー印刷できない状態である場合に、記録データにカラーデータが含まれていることを検出した際には、ページ毎にカラーモード以外のモードでの出力を行うか、ジョブを待機状態にするかをユーザーに問い合わせることを特徴とするカラー印刷縮退動作可能な画像形成装置を提供する。【選択図】  図５
2013120304.tif 000002
【特許請求の範囲】
【請求項１】
装置によって読取られた画像データ若しくは、コンピュータから送られた出力データによりデータを出力し、且つ、カラーデータの有無を検出する手段を有する画像形成装置において、画像形成装置がカラー印刷できない状態である場合に、記録データにカラーデータが含まれていることを検出した際には、ページ毎にカラーモード以外のモードでの出力を行うか、ジョブを待機状態にするかをユーザーに問い合わせることを特徴とするカラー印刷縮退動作可能な画像形成装置。
【請求項２】
装置によって読取られた画像データ若しくは、コンピュータから送られた出力データによりデータを出力し、且つ、カラーデータの有無を検出する手段を有する画像形成装置において、画像形成装置がカラー印刷できない状態である場合に、記録データにカラーデータが含まれていることを検出した際には、ジョブ毎にカラーモード以外のモードでの出力を行うか、あるいはジョブを待機状態にするかをユーザーに問い合わせることを特徴とするカラー印刷縮退動作可能な画像形成装置。
【請求項３】
装置によって読取られた画像データ若しくは、コンピュータから送られた出力データによりデータを出力し、且つ、カラーデータの有無を検出する手段を有する画像形成装置において、画像形成装置がカラー印刷できない状態である場合に、記録データにカラーデータが含まれていることを検出した際には、ページ毎かあるいはジョブ毎にカラーモード以外のモードでの出力を行うか、あるいはジョブを待機状態にするかをユーザーに問い合わせることを特徴とするカラー印刷縮退動作可能な画像形成装置。
【請求項４】
装置によって読取られた画像データ若しくは、コンピュータから送られた出力データによりデータを出力し、且つ、カラーデータの有無を検出する手段を有する画像形成装置において、画像形成装置がカラー印刷できない状態である場合に、記録データにカラーデータが含まれていることを検出した際には、ページ毎かあるいはジョブ毎にカラーモード以外のモードでの出力を行うか、あるいはジョブを待機状態にするかをユーザーに問い合わせ、かつ該当カラーデータを含むページの出力のみを処理しないことを選択可能とすることを特徴とするカラー印刷縮退動作可能な画像形成装置。
【発明の詳細な説明】
【技術分野】
【０００１】
本発明は、画像形成装置及び画像処理方法に関する。
【背景技術】
【０００２】
複数の記録材を用いてカラー出力を可能とする画像形成装置において特定色以外の記録材が不足した場合あるいは、故障等の要因により特定色以外の出力が不可能になった場合に、特定色の出力が可能であれば、特定色のみを出力のみ可能とする画像形成装置が提案されている。
【０００３】
このような機械では特定色のみの出力が可能な状態において、複数色の出力を前提とする機能のジョブの設定を操作部上でマスクする等の方法により、ユーザーに対して特定色のみの出力が可能であることを促し、複数色を使用しないジョブのみを投入可能とする構成がとられている。
【０００４】
あるいは、複数色の出力が不可能と判断される場合には自動的に特定色に切り替えて出力可能とするような構成が提案されている（特許文献１参照）。
【先行技術文献】
【特許文献】
【０００５】
【特許文献１】特開２００４−２７１７１５号公報
【発明の概要】
【発明が解決しようとする課題】
【０００６】
一方で昨今、画像形成装置の機能は多様化しジョブ投入後に出力先を変更が可能となることで、予め操作部上でマスク設定をする必要があるかをジョブ投入時に確定することが困難な場合が多い。
【０００７】
また、複数のジョブを同時に投入、実行することが可能となっているため、ジョブ投入時には問題がないと判断されても、ジョブ実行直前やジョブ実行中に特定色以外の出力が不可能になる場面も多い。
【０００８】
また、逆にジョブの投入後に実行不可能と判断されても、任意のタイミングでユーザーやサービスの操作により特定色以外の出力が可能な状態に機械が復帰する可能性もあるため、ジョブ投入時に制限をかける構成は結果的には作業効率の低下を引き起こす。
【０００９】
また、ユーザーの判断を介すことなく自動的に特定色に切り替えて出力することは、色表現が大きな意味を持つような画像では、原稿が持つ本来の意味を失うこともあり、原稿によっては出力を行わない方が良い。
【課題を解決するための手段】
【００１０】
装置によって読取られた画像データ若しくは、コンピュータから送られた出力データによりデータを出力し、且つ、カラーデータの有無を検出する手段を有する画像形成装置において、画像形成装置がカラー印刷できない状態である場合に、記録データにカラーデータが含まれていることを検出した際には、ページ毎にカラーモード以外のモードでの出力を行うか、ジョブを待機状態にするかをユーザーに問い合わせることを特徴とするカラー印刷縮退動作可能な画像形成装置。
【００１１】
装置によって読取られた画像データ若しくは、コンピュータから送られた出力データによりデータを出力し、且つ、カラーデータの有無を検出する手段を有する画像形成装置において、画像形成装置がカラー印刷できない状態である場合に、記録データにカラーデータが含まれていることを検出した際には、ジョブ毎にカラーモード以外のモードでの出力を行うか、あるいはジョブを待機状態にするかをユーザーに問い合わせることを特徴とするカラー印刷縮退動作可能な画像形成装置。
【発明の効果】
【００１２】
特定色以外の出力が不可能な場合においても、ジョブの投入は可能とすることで出力に必要な画像処理を実行する等が可能となることで、機械のダウンタイムを低下させることが可能となるとともに、ユーザーが選択的に特定色で出力を継続するか否かを指定することで所望の出力を得ることが可能となる。
【図面の簡単な説明】
【００１３】
【図１】本発明に係わるデータ処理装置としての画像入出力システム１の実施例形態を示すブロック構成図である。
【図２】本発明に係わる電子部品としてのコントローラ部の詳細を示すブロック構成図である。
【図３】本発明の実施例１の処理を説明するフローチャートである。
【図４】本発明の実施例２の処理を説明するフローチャートである。
【図５】本発明の実施例１及び実施例２の処理を説明するフローチャートである。
【図６】本発明の実施例１中の操作部の表示の一例を示す図である。
【図７】本発明の実施例２中の操作部の表示の一例を示す図である。
【発明を実施するための形態】
【００１４】
［実施例１］
以下、本発明の実施携帯を図面に基づいて説明する。
【００１５】
以下、本発明の実施の形態を図面に基づいて詳説する。
図１は本発明に係る電子部品としてのコントローラ部が搭載された画像入出力装置（データ処理装置）の一実施の形態を示すブロック構成図であって、該画像入出力装置１は、イーサネット（登録商標）等のＬＡＮ（Ｌｏｃａｌ  Ａｒｅａ  Ｎｅｔｗｏｒｋ）４００にてのホストコンピュータ（本実施の形態では第一、第二のホストコンピュータ３，４）に接続されている。
【００１６】
即ち、上記画像入出力システム（装置）１は、画像データの読取処理を行うリーダー部２と、画像データの出力処理を行うプリンタ部６と、画像データの入出力操作を行うキーボード、及び画像データや各種機能の表示などを行う液晶パネルを備えた操作部７と、制御プログラムや画像データ等が予め書き込まれたハードディスクドライブ８を装着し、これら各構成要素に接続されて該構成要素に接続されて該構成要素を制御する単一の電子部品からなるコントローラ部１１０とから構成されている。
【００１７】
さらにリーダー部２は原稿用紙を搬送する原稿給紙ユニット（部）１０と、原稿画像を光学的に読み取って電気信号としての画像データに変換するスキャナ部１１とを有し、プリンタ部６は記録用紙を収容する複数段の給紙カセットを備えた給紙ユニット（部）１２と画像データを記録用紙に転写、定着するマーキングユニット（部）１３と印字された記録用紙にソート処理やステイプル処理を施して、外部に排出する排紙ユニット（部）１４とを有している。
【００１８】
コントローラ部１１０は、上述したように単一の電子部品で構成され、リーダー部２読み取った画像データをコードに変換し、ＬＡＮ４００を介して第一及び第二のホストコンピュータ３、４に送信するスキャナ機能、及びホストコンピュータ３、４からＬＡＮ２を介して受信したコードデータを画像データに変換し、プリンタ部６に出力するプリンタ機能、その他の機能ブロックを有している。
【００１９】
図２はコントローラ部１１０の詳細を示すブロック図である。
【００２０】
すなわち、メインコントローラ３２は、ＣＰＵ３３とバスコントローラ３４と後述する各種コントローラ回路を含む機能ブロックとを内蔵すると共に、ＲＯＭＩ／Ｆ３５を介してＲＯＭ３６と接続され、ＤＲＡＭＩ／Ｆ３７を介してＤＲＡＭ３８と接続され、コーデックＩ／Ｆ３９を介してコーデック４０と接続され、また、ネットワークＩ／Ｆ４１を介してネットワークコントローラ４２と接続されている。
【００２１】
ＲＯＭ３６は、メインコントローラ３２のＣＰＵ３３で実行される各種制御プログラムや演算データが確認されている。ＤＲＡＭ３８は、ＣＰＵ３３が動作するための作業領域や画像データを蓄積するための領域として使用される。コーデック４０はＤＲＡＭ３８に蓄積されたラスターイメージデータをＭＨ／ＭＲ／ＭＭＲ／ＪＢＩＧなどの周知の圧縮方式で圧縮し、また圧縮されたデータをラスターイメージに伸長する。また、コーデック４０にはＳＲＡＭ４３が接続されており、該ＳＲＡＭ４３は前記コーデック４０の一時的な作業領域として使用される。
【００２２】
ネットワークコントローラ４２は、ネットワーク４４を介してＬＡＮ２との間で所定の制御動作を行う。
【００２３】
また、前記メインコントローラ３２はスキャナバス４５を介してスキャナＩ／Ｆ４６に接続され、プリンタバス４７を介してプリンタＩ／Ｆ４８に接続され、さらにＰＣＩバス等の汎用高速バス４９を介して拡張ボードを接続するための拡張コネクタ５０及び入出力制御部（Ｉ／Ｏ制御部）５１に接続されている。
【００２４】
Ｉ／Ｏ制御部５１はリーダー部２やプリンタ部６との間で制御コマンドを送受信するための調歩同期式のシリアル通信コントローラ５２が２チャンネル装備されており、該シリアル通信コントローラ５２はＩ／Ｏバス５３を介してスキャナＩ／Ｆ４６及びプリンタＩ／Ｆ４８に接続されている。
【００２５】
スキャナＩ／Ｆ４８は、第一の調歩同期シリアルＩ／Ｆ５４及び第一のビデオＩ／Ｆ５５を介してスキャナコネクタ５６に接続され、さらに該スキャナコネクタ５６はリーダー部２のスキャナユニット１１に接続されている。そして、スキャナＩ／Ｆ４６はスキャナ部１１から受信した画像データに対し所望の２値化処理や、主走査方向及び／又は副走査方向の変倍処理を行い、またスキャナ部１１から送られてきたビデオ信号に基づいて制御信号を生成し、スキャナバス４５を介してメインコントローラ３２に転送する。
【００２６】
また、プリンタＩ／Ｆ４８は、第２の調歩同期シリアルＩ／Ｆ５７及び第２のビデオＩ／Ｆ５８を介してプリンタコネクタ５９に接続され、さらに該プリンタコネクタ５９はプリンタ部６のマーキングユニット１３に接続されている。そして、プリンタＩ／Ｆ４８はメインコントローラ３２から出力された画像データにスムージング処理を施して該画像データをマーキングユニット１３に出力し、さらにマーキングユニット１３から送られたビデオ信号に基づいて、生成された制御信号をプリンタバス４７に出力する。
【００２７】
そして、ＣＰＵ３３は、ＲＯＭ３６からＲＯＭＩ／Ｆ３５を介して読み込まれた制御プログラムに基づいて動作し、例えば、第１及び第２のホストコンピュータ３、４から受信したＰＤＬ（ページ記述言語）データを解釈し、ラスターイメージデータに展開処理を行う。
【００２８】
また、バスコントローラ３４は、スキャナＩ／Ｆ４６プリンタＩ／Ｆ４８、その他拡張コネクタ５０等に接続された外部機器から入出力されるデータ転送を制御するものであり、バス競合時のアービトレーション（調停）やＤＭＡデータ転送の制御を行う。即ち、例えば、上述したＤＲＡＭ３８とコーデック４０との間のデータ転送や、スキャナ部５からＤＲＡＭ３８へのデータ転送、ＤＲＡＭ３８からマーキングユニット１３へのデータ転送等は、バスコントローラ３４によって制御され、ＤＭＡ転送される。
【００２９】
また、Ｉ／Ｏ制御部５１は、ＬＣＤコントローラ６０及びキー入力Ｉ／Ｆ７６１を介してパネルＩ／Ｆ６２は操作部７に接続されている。また、前記Ｉ／Ｏ制御部５１は不揮発性メモリとしてのＥＥＰＲＯＭ６６に接続され、またＥ−ＩＤＥコネクタ６３を介してハードディスクドライブ８に接続され、さらに、機器内で管理する日付と時刻を更新／保存するリアルタイムクロックモジュール６４に接続されている。尚、リアルタイムクロックモジュール６４はバックアップ用電池６５に接続されて該バックアップ用電池６５によりバックアップされている。
【００３０】
以降、図３のフローチャートに沿ってメインコントローラ３２のＣＰＵ３３で実行されるプログラムの動作について説明する。
【００３１】
ＣＰＵ３３はＰＣ３あるいはＰＣ４からのプリントデータ、もしくはスキャナユニット１１から入力される画像をマーキングユニット１３に転送して印刷することが可能である。
【００３２】
ＣＰＵ３３はマーキングユニット１３に出力する前にＣＰＵ３３でＳ０１０１にて印刷前に必要な画像処理を実行する。この際に画像データをサンプリングし、カラーデータが含まれているか否かを確認可能としておく。
【００３３】
ＣＰＵ３３は続くＳ０１０２にて実行ジョブが白黒出力設定されているかを確認する。コントローラ部１１０ではジョブ毎に白黒固定で出力する設定を実施することが可能であり、これらの情報はＤＲＡＭ３８に保存される。白黒出力設定は後続のＳ０１０７においても設定可能な情報である。
【００３４】
ＣＰＵ３３はＳ０１０２にて白黒出力設定されていると判定された場合にはＳ０１１１に処理を移行して白黒データを生成し、マーキングユニット１３に転送する。マーキングユニット１３では白黒画像の印刷を実施する。
【００３５】
ＣＰＵ３３はＳ０１０２にて白黒出力設定がされていないと判定された場合には、Ｓ０１０３に処理を移行する。Ｓ０１０３ではＳ０１０１で前処理を実行した結果から、画像データにカラーデータが含まれているか否かについて確認する。
【００３６】
ＣＰＵ３３はカラーデータが含まれていると判断される場合には処理をＳ０１０４へ、そうでない場合には処理をＳ０１１１へ移行する。
【００３７】
Ｓ０１０４では出力先のマーキングユニット１３がカラー出力可能な状態かあるいは白黒のみ出力可能な状態かについて確認する。
【００３８】
カラー出力が可能ではない条件としては例えばカラー用のインク、あるいはトナー等の記録材の不足、あるいはカラー用のインクヘッド故障やカラー印刷用の転写ドラムの故障等が挙げられる。
【００３９】
カラー出力が可能では無く白黒出力のみ可能な状態をカラー縮退状態（以降、カラー縮退状態）として判断し、Ｓ０１０４ではカラー出力可能な状態であれば、処理をＳ０１１０にそうでない場合には処理をＳ０１０５に移行する。
【００４０】
Ｓ０１１０ではマーキングユニット１３はコントローラ部１１０から受信した画像データを使用してカラー印刷を実施する。
【００４１】
Ｓ０１０５ではカラーが出力可能ではないので、ユーザーに対して操作部７を介してジョブの振る舞いについての設定を要求する。図６に操作部に表示される内容の一例を記載した。
【００４２】
操作部７にてカラーのページが検出された該当ジョブの後続ページを全て白黒でプリントするかあるいはカラー縮退状態からマーキングユニット１３が復帰するまでジョブ待機させるかを選択させる。
【００４３】
ジョブキャンセルする場合には処理をＳ０１０８に移行して、該当ジョブをキャンセルして処理を終了する。
【００４４】
待機を選択する場合にマーキングユニット１３が復帰するまでＳ０１０６でジョブを待機させる。待機中の処理については別フローで説明する。
【００４５】
白黒出力する場合には、Ｓ０１０７でジョブに対して白黒出力設定を実施する。ジョブに対して白黒出力設定するとこの情報はＤＲＡＭ３８に保存される。ＤＲＡＭ３８に保存されるこの情報はＳ０１０２にてＣＰＵ３３に参照される。Ｓ０１０７の処理後ＣＰＵ３３はＳ０１１１に移行して白黒出力を実施する。
【００４６】
Ｓ０１１０とＳ０１１１について処理が終了するとＣＰＵ３３はＳ０１１３に処理を移行して、出力処理をしたページが最終ページか否かを確認する。最終ページである場合にはジョブを終了し、そうでない場合にはＣＰＵ３３は処理をＳ０１０１に戻す。
【００４７】
次に図５のフローチャートを用いて、Ｓ０１０６で待機中とされたジョブの振る舞いについて説明する。ジョブの状態はＣＰＵ３３の持つＤＲＡＭ３８上で管理される。ＣＰＵ３３はＳ０３０１で実行中のジョブがあるかを判断し、実行中のジョブがない場合には処理をＳ０３０２に移行する。
【００４８】
ＣＰＵ３３はＳ０３０２で出力先、すなわちマーキングユニット１３がカラー縮退状態か否かを判断し、縮退状態である場合には処理をＳ０３０１に戻す。縮退状態が解除されている場合には処理をＳ０３０３に移行し、待機中のカラージョブがあるか確認する。
【００４９】
カラー縮退で待機中のジョブがある場合にはＣＰＵ３３は処理をＳ０３０１に戻す。
【００５０】
カラー縮退で待機中のジョブがある場合にはＣＰＵ３３はＳ０３０４で該当ジョブを実行する。
【００５１】
ジョブの実行フローは図３のフローチャートとなる。
【００５２】
上述のような流れを実行することで、画像入出力システム１１は特定色以外の出力が不可能な場合においても、ジョブの投入は可能とすることで出力に必要な画像処理を実行する等が可能となり、機械のダウンタイムを低下させることが可能となる。
【００５３】
ユーザーがジョブ単位に選択的に特定色で出力を継続するか否かを指定することで望まない出力を実施することなく、所望の出力を得ることが可能となる。
【００５４】
［実施例２］
実施例１ではジョブに対して白黒出力を実施する例について述べた。
【００５５】
本実施例ではページ毎に白黒出力の設定を実施する例について図４のフローチャートを用いて説明する。図１、図２の説明は実施例１と同じであるので説明を省略する。
【００５６】
以降、図４のフローチャートに沿ってメインコントローラ３２のＣＰＵ３３で実行されるプログラムの動作について説明する。
【００５７】
ＣＰＵ３３はＰＣ３あるいはＰＣ４からのプリントデータ、もしくはスキャナユニット１１から入力される画像をマーキングユニット１３に転送して印刷することが可能である。
【００５８】
ＣＰＵ３３はマーキングユニット１３に出力する前にＣＰＵ３３でＳ０２０１にて印刷前に必要な画像処理を実行する。この際に画像データをサンプリングし、カラーデータが含まれているか否かを確認可能としておく。
【００５９】
ＣＰＵ３３は続くＳ０２０２にて実行ジョブが白黒出力設定されているかを確認する。コントローラ部１１０ではジョブ毎に白黒固定で出力する設定を実施することが可能であり、これらの情報はＤＲＡＭ３８に保存される。白黒出力設定は後続のＳ０２１４においても設定可能な情報である。
【００６０】
ＣＰＵ３３はＳ０２０２にて白黒出力設定されていると判定された場合にはＳ０２１１に処理を移行して白黒データを生成し、マーキングユニット１３に転送する。Ｓ０２１１ではマーキングユニット１３では白黒画像の印刷を実施する。
【００６１】
ＣＰＵ３３はＳ０２０２にて白黒出力設定がされていないと判定された場合には、Ｓ０２０３に処理を移行する。Ｓ０２０３ではＳ０２０１で前処理を実行した結果から、画像データにカラーデータが含まれているか否かについて確認する。
【００６２】
ＣＰＵ３３はカラーデータが含まれていると判断される場合には処理をＳ０２０４へ、そうでない場合には処理をＳ０２１１へ移行する。
【００６３】
Ｓ０２０４では出力先のマーキングユニット１３がカラー出力可能な状態かあるいは白黒のみ出力可能な状態かについて確認する。
【００６４】
カラー出力が可能ではない条件としては例えばカラー用のインク、あるいはトナー等の記録材の不足、あるいはカラー用のインクヘッド故障やカラー印刷用の転写ドラムの故障等が挙げられる。
【００６５】
カラー出力が可能では無く白黒出力のみ可能な状態をカラー縮退状態（以降、カラー縮退状態）として判断し、Ｓ０２０４ではカラー出力可能な状態であれば、処理をＳ０２１０にそうでない場合には処理をＳ０２０５に移行する。
【００６６】
Ｓ０２１０ではマーキングユニット１３はコントローラ部１１０から受信した画像データを使用してカラー印刷を実施する。
【００６７】
Ｓ０２０５ではカラーが出力可能ではないので、ユーザーに対して操作部７を介してジョブをキャンセルするか否かの振る舞いについての設定を要求する。
【００６８】
ジョブキャンセルする場合には処理をＳ０２０８に移行して、該当ジョブをキャンセルして処理を終了する。
【００６９】
ジョブをキャンセルしない場合には処理をＳ０２０６に移行する。ＣＰＵ３３は操作部７を介して後続のページを含むすべてのカラーページをすべて白黒出力するか否かの確認を行う。
【００７０】
ユーザーが後続のページを含むジョブすべてを白黒出力設定することを指示した場合、
ＣＰＵ３３は処理をＳ０２１４に処理を移行する。白黒出力する場合には、Ｓ０２１４でジョブに対して白黒出力設定を実施する。ジョブに対して白黒出力設定するとこの情報はＤＲＡＭ３８に保存される。ＤＲＡＭ３８に保存されるこの情報はＳ０２０２にてＣＰＵ３３に参照される。Ｓ０２１４の処理後ＣＰＵ３３はＳ０２１１に移行して白黒出力を実施する。
【００７１】
Ｓ０２０６でジョブに対して白黒出力を設定しない場合、ＣＰＵ３３は処理をＳ０２０７に移行する。
Ｓ０２０７では該当ページのみ白黒で出力するか否かについて操作部７を介してユーザーに確認する。
【００７２】
このページのみ白黒出力する場合には処理をＳ０２１１に移行し、白黒出力を実行する。
【００７３】
そうでない場合には処理をＳ０２０９に移行し、このページのみ印刷をしないか否か操作部７を介してユーザーに確認する。
【００７４】
ページをスキップする場合には処理をＳ０２１３に移行する。
【００７５】
Ｓ０２１３では後続ページがあるか否かを確認し、最終ページで有れば、ジョブを終了する。
【００７６】
そうでない場合には処理をＳ０２０１に戻す。
【００７７】
ページをスキップしない場合にはジョブを待機中とする。待機を選択する場合にマーキングユニット１３が復帰するまでＳ０１０６でジョブを待機させる。
【００７８】
待機中の処理については別フローで既に図５を用いて実施例１説明しているので省略する。
【００７９】
またＳ０２０５、Ｓ０２０６、Ｓ０２０７、Ｓ０２０９の操作部７の表示例を図７に一例として示した。
【００８０】
上述のような流れを実行することで、画像入出力システム１１は特定色以外の出力が不可能な場合においても、ジョブの投入は可能とすることで出力に必要な画像処理を実行する等が可能となり、機械のダウンタイムを低下させることが可能となる。
【００８１】
さらに、ユーザーがジョブ単位、ページ単位に選択的に特定色で出力を継続するか否か、またページ単位に出力スキップすることを指定することで望まない出力を実施することなく、所望の出力を得ることが可能となる。
【符号の説明】
【００８２】
１  画像入出力システム
３  クライアントＰＣ
【図１】
2013120304.tif 000003
【図２】
2013120304.tif 000004
【図３】
2013120304.tif 000005
【図４】
2013120304.tif 000006
【図５】
2013120304.tif 000007
【図６】
2013120304.tif 000008
【図７】
2013120304.tif 000009